(57)【要約】【課題】内壁又は間仕切壁と床材の両方を梁に支持させると共に、内壁又は間仕切壁を取り外すことなく床材を撤去又は交換できる壁支持構造を提供する。【解決手段】壁支持構造Ｓ１、Ｓ２、Ｓ３は、上面２０Ａを有する梁２０と、梁２０の上面２０Ａに一部（端部３０Ｅ）が配置された床材３０と、梁２０の上面２０Ａに固定された１又は複数の壁受プレート４０と、床材３０の上側に離間して配置され、１又は複数の壁受プレート４０によって支持された内壁５０又は間仕切壁６０と、を備える。【選択図】図１
2019002177.tif 000002
【特許請求の範囲】
【請求項１】
上面を有する梁と、
前記梁の前記上面に一部が配置された床材と、
前記梁の前記上面に固定された１又は複数の壁受部材と、
前記床材の上側に離間して配置され、前記１又は複数の壁受部材によって支持された内壁又は間仕切壁と、
を備える壁支持構造。
【請求項２】
前記壁受部材は、前記梁に固定される梁固定部と、前記内壁又は間仕切壁を支持する壁支持部と、前記梁固定部と前記壁支持部とを上下に連結する上下連結部と、を含んで構成されており、
前記壁支持部は、前記梁固定部及び前記上下連結部と平面視で重なる一般部と、前記梁固定部及び前記上下連結部と平面視で重ならない庇部と、を有しており、
前記庇部の下側に前記床材の一部が配置されている、
請求項１に記載の壁支持構造。
【請求項３】
前記壁受部材は、前記梁に固定される梁固定部と、前記内壁又は間仕切壁を支持する壁支持部と、前記梁固定部と前記壁支持部とを上下に連結する上下連結部と、を含んで構成されており、
前記梁の前記上面のうち梁幅方向一方側の部分に前記梁固定部が固定されており、前記梁の前記上面のうち前記梁固定部が固定された部分に対して梁幅方向他方側に前記床材の一部が配置されている、
請求項１又は請求項２に記載の壁支持構造。
【請求項４】
前記壁受部材は、複数設けられ、
前記複数の壁受部材は、前記梁の延在方向に並んで、互いに間隔を空けて固定されている、
請求項１〜請求項３の何れか一項に記載の壁支持構造。
【請求項５】
前記床材には、互いに間隔を空けて固定された前記複数の壁受部材に対応する位置に切欠きが形成され、
隣り合う前記壁受部材の間に、前記床材の一部が配置されている、
請求項４に記載の壁支持構造。
【発明の詳細な説明】
【技術分野】
【０００１】
本発明は、壁支持構造に関する。
【背景技術】
【０００２】
特許文献１には、Ｈ型鋼からなる梁の上フランジに、固定金具によってＬ型アングルを固定し、Ｌ型アングルに外壁パネルを固定する壁支持構造が開示されている。
【先行技術文献】
【特許文献】
【０００３】
【特許文献１】特開２０００−３４５６４５号公報
【発明の概要】
【発明が解決しようとする課題】
【０００４】
しかしながら、上記技術は、外壁パネルを支持するための技術であり、内壁や間仕切壁を支持することについては開示していない。また、梁の上フランジに固定されるＬ型アングルによって、床材を梁に支持させ難い構造となってしまう。
【０００５】
本発明の目的は、内壁又は間仕切壁と床材の両方を梁に支持させると共に、内壁又は間仕切壁を取り外すことなく床材を撤去又は交換できる壁支持構造を提供することである。
【課題を解決するための手段】
【０００６】
第１の態様に係る壁支持構造は、上面を有する梁と、前記梁の前記上面に一部が配置された床材と、前記梁の前記上面に固定された１又は複数の壁受部材と、前記床材の上側に離間して配置され、前記１又は複数の壁受部材によって支持された内壁又は間仕切壁と、を備える。
【０００７】
第１の態様に係る壁支持構造では、床材の一部が梁の上面に配置されている。このため、床材を当該梁で支持することができるので、床材支持用の梁を当該梁とは別に設ける必要性が低い。
【０００８】
また、梁の上面には１又は複数の壁受部材が固定されており、当該１又は複数の壁受部材に内壁又は間仕切壁が支持されている。これにより、内壁又は間仕切壁は、床材の上側に離間して配置された状態となっている。
このように、内壁又は間仕切壁は、梁に固定された壁受部材に支持されており、床材には支持されていない。よって、内壁又は間仕切壁を取り外すことなく、床材を撤去又は交換することができる。
【０００９】
第２の態様に係る壁支持構造は、第１の態様に係る壁支持構造において、前記壁受部材は、前記梁に固定される梁固定部と、前記内壁又は間仕切壁を支持する壁支持部と、前記梁固定部と前記壁支持部とを上下に連結する上下連結部と、を含んで構成されており、前記壁支持部は、前記梁固定部及び前記上下連結部と平面視で重なる一般部と、前記梁固定部及び前記上下連結部と平面視で重ならない庇部と、を有しており、前記庇部の下側に前記床材の一部が配置されている。
【００１０】
第２の態様に係る壁支持構造では、壁受部材が、梁に固定される梁固定部と、内壁又は間仕切壁を支持する壁支持部と、梁固定部と壁支持部とを上下に連結する上下連結部と、を含んで構成されている。そして、壁支持部は、梁固定部及び上下連結部と平面視で重なる一般部と、梁固定部及び上下連結部と平面視で重ならない庇部と、を有している。そして、庇部の下側に床材の一部が配置されている。
このため、壁支持部が庇部を有しない場合と比較して、床材の上側に離間して配置された内壁又は間仕切壁を安定して支持することができる。
【００１１】
第３の態様に係る壁支持構造は、第１又は第２の何れかの態様に係る壁支持構造において、前記壁受部材は、前記梁に固定される梁固定部と、前記内壁又は間仕切壁を支持する壁支持部と、前記梁固定部と前記壁支持部とを上下に連結する上下連結部と、を含んで構成されており、前記梁の前記上面のうち梁幅方向一方側の部分に前記梁固定部が固定されており、前記梁の前記上面のうち前記梁固定部が固定された部分に対して梁幅方向他方側に前記床材の一部が配置されている。
【００１２】
第３の態様に係る壁支持構造では、壁受部材が、梁に固定される梁固定部と、内壁又は間仕切壁を支持する壁支持部と、梁固定部と壁支持部とを上下に連結する上下連結部と、を含んで構成されている。そして、梁の上面のうち梁幅方向一方側の部分に梁固定部が固定されており、梁の上面のうち梁固定部が固定された部分に対して梁幅方向他方側に床材の一部が配置されている。
つまり、梁固定部が梁の上面のうち梁幅方向一方側の部分に固定されていることで、梁の上面のうち梁固定部が固定された部分に対して梁幅方向他方側の部分に床材の一部が配置することができる。よって、床材に切り欠きを形成することなく床材を梁に支持させることができる。また、床材の端部を梁の延在方向に沿って連続的に梁に支持させることができるので、床材を安定して支持することができる。
【００１３】
第４の態様に係る壁支持構造は、第１〜第３の何れかの態様に係る壁支持構造において、前記壁受部材は、複数設けられ、前記複数の壁受部材は、前記梁の延在方向に並んで、互いに間隔を空けて固定されている。
【００１４】
第４の態様に係る壁支持構造では、壁受部材が複数設けられ、複数の壁受部材は、梁の延在方向に並んで互いに間隔を空けて固定されている。このため、１つの壁受部材で内壁又は間仕切壁を支持する場合と比較して、壁受部材が小型となり、工事が容易である。
【００１５】
第５の態様に係る壁支持構造は、第４の態様において、前記床材には、互いに間隔を空けて固定された前記複数の壁受部材に対応する位置に切欠きが形成され、隣り合う前記壁受部材の間に、前記床材の一部が配置されている。
【００１６】
第５の態様に係る壁支持構造では、床材に切欠きが形成されている。切欠きは、互いに間隔を空けて固定された複数の壁受部材に対応する位置に形成されている。これによって、隣り合う壁受部材の間に床材の一部を配置している。このため、梁の上面のうち梁幅方向の室内側の部分に壁受部材を固定することができる。
【発明の効果】
【００１７】
以上説明したとおり、本発明によれば、内壁又は間仕切壁と床材の両方を梁に支持させると共に、内壁又は間仕切壁を取り外すことなく床材を撤去又は交換できる。
【図面の簡単な説明】
【００１８】
【図１】第一実施形態に係る壁支持構造を示す断面図である。
【図２】第二実施形態に係る壁支持構造を示す断面図である。
【図３】壁受プレートを梁と共に示す斜視図である。
【図４】梁に複数の壁受プレートが固定された状態を示す斜視図である。
【図５】第二実施形態に係る壁支持構造と、第三実施形態に係る壁支持構造とを同時に示す斜視図である。
【図６】第二実施形態に係る壁支持構造と、第三実施形態に係る壁支持構造とを同時に示す平面図である。
【図７Ａ】図６の７Ａ−７Ａ線断面図である。
【図７Ｂ】図６の７Ｂ−７Ｂ線断面図である。
【図８】比較例１に係る壁支持構造を示す断面図である。
【図９】比較例２に係る壁支持構造を示す断面図である。
【発明を実施するための形態】
【００１９】
〔第一実施形態〕
以下、本発明の第一実施形態について説明する。
【００２０】
＜全体構成＞
図１に、第一実施形態に係る壁支持構造Ｓ１を示す。壁支持構造Ｓ１は、建物１０の外壁１２に面する内壁５０を支持する構造に関する。
【００２１】
図１に示すように、壁支持構造Ｓ１は、梁２０と、床材３０と、「壁受部材」としての壁受プレート４０と、内壁５０と、を備えている。
【００２２】
＜梁２０＞
梁２０は、水平方向に延びており、一例としてＨ型鋼からなる。梁２０は、ウェブ２２、上フランジ２４及び下フランジ２６を備えている。上フランジ２４及び下フランジ２６は、板厚方向を上下方向に向けた板状とされ、梁２０の延在方向（以下、「梁延在方向」という。図１における紙面に直交する方向である。）に沿って延びている。ウェブ２２は、上フランジ２４の幅方向中央部と下フランジ２６の幅方向中央部とを上下に繋いでいる。ウェブ２２は、板厚方向を梁２０の幅方向（以下、「梁幅方向」という。図１における左右方向である。）に向けた板状とされている。
なお、梁２０の上フランジ２４のうち、梁幅方向中央（ウェブ２２と繋がった位置）に対して室内側（図１における右側）の部分を室内側部２４Ａといい、梁幅方向中央に対して室外側（図１における左側）の部分を室外側部２４Ｂという。
【００２３】
＜床材３０＞
床材３０は、ＡＬＣパネルなどの床下地材３２と、床下地材３２の上に設けられた床仕上材３４と、を備えている。床材３０の端部３０Ｅ（図１における左側の端部）は、梁２０の上フランジ２４の上面２０Ａに配置されており、ＡＬＣ固定金具３６により梁２０の上フランジ２４に固定されている。具体的には、床材３０の端部３０Ｅが固定されているのは、上フランジ２４のうち室内側部２４Ａである。このため、上フランジ２４の室内側部２４Ａの上面２０Ａに床材３０の端部３０Ｅが配置されているが、上フランジ２４の室外側部２４Ｂの上面２０Ａには、床材３０が配置されていない状態となっている。
【００２４】
＜壁受プレート４０＞
壁受プレート４０は、梁２０の上面２０Ａに固定される。具体的には、壁受プレート４０は、梁２０の上フランジ２４の室外側部２４Ｂの上面２０Ａに固定される。
【００２５】
図３に壁受プレート４０を拡大して示す。図３に示すように、壁受プレート４０は、梁２０に固定される「梁固定部」としての底板部４２と、内壁５０を支持する「壁支持部」としての天板部４４と、底板部４２と天板部４４とを上下に連結する「上下連結部」としての縦板部４６及び補強部４８と、を備えている。
【００２６】
壁受プレート４０のうちの底板部４２及び縦板部４６は、例えば、板材を底板部４２と縦板部４６との境界部分で折り曲げ加工することで断面Ｌ字状に形成されている。
底板部４２は、その幅寸法Ｗ２よりも長さ寸法Ｌ２の方が長い略長方形の板状に形成されており、その板厚方向を上下方向に向けて配置される。底板部４２の幅寸法Ｗ２は、梁２０の上フランジ２４の幅寸法Ｗ１の二分の一以下とされている（Ｗ２＜Ｗ１／２）。底板部４２の長さ方向両端部付近には、それぞれ固定用孔４２Ｈが形成されている。これら固定用孔４２Ｈと、梁２０の上フランジ２４の室外側部２４Ｂに形成された固定用孔２４Ｈとにボルトナット等の締結具４９（図１参照）が通されることで、壁受プレート４０が梁２０に固定される。
縦板部４６は、底板部４２に対して垂直に起立しており、その板厚方向を梁幅方向に向けて配置される。
【００２７】
天板部４４は、縦板部４６の上端に溶接などにより接合されている。天板部４４は、縦板部４６に対して垂直に設けられ、底板部４２に対して平行に設けられている。天板部４４は、略矩形状の板状に形成されている。天板部４４の長さ寸法Ｌ３は、底板部４２や縦板部４６の長さ寸法Ｌ２と略同一とされている。他方、天板部４４の幅寸法Ｗ３は、底板部４２の幅寸法Ｗ２よりも大きく、具体的には２倍以上の寸法とされている。そして、天板部４４の幅方向中間付近が縦板部４６の上端に接合されている。これにより、天板部４４の一部４４Ｂ（縦板部４６に接合された部分に対して一方側の部分。以下、一般部４４Ｂという。）が、底板部４２と平面視で重なる関係となり、天板部４４の他の一部４４Ａ（以下、庇部４４Ａという。）は、平面視で底板部４２や縦板部４６及び後述する補強部４８と重ならない関係となっている。
【００２８】
補強部４８は、板厚方向を梁延在方向に向けた板状に形成されている。補強部４８は、底板部４２の上側であって天板部４４の一般部４４Ｂの下側に配置されている。そして、補強部４８は、底板部４２、天板部４４の一般部４４Ｂ及び縦板部４６にそれぞれ溶接により接合されている。補強部４８は、平面視で天板部４４や底板部４２から突出しない大きさとされており、底板部４２や天板部４４の長さ方向の略中央（つまり、壁受プレート４０の長さ方向の略中央）に設けられている。
【００２９】
図４に示すように、壁受プレート４０は複数設けられる。複数の壁受プレート４０は、梁２０の上フランジ２４の上面２０Ａに、梁延在方向に並んで互いに間隔を空けて固定される。
【００３０】
図１に示すように、天板部４４の一般部４４Ｂと庇部４４Ａのうち、庇部４４Ａを室内側（図１における右側）へ向けるように、壁受プレート４０の底板部４２が梁２０の上フランジ２４の室外側部２４Ｂに固定される。壁受プレート４０の天板部４４の庇部４４Ａは、梁２０の上フランジ２４の室内側部２４Ａの上面２０Ａの真上に配置される。そして、梁２０の上フランジ２４の室内側部２４Ａの上面２０Ａと、壁受プレート４０の天板部４４の庇部４４Ａとの間に上下方向の隙間が形成される。この隙間の上下寸法Ｈは、壁受プレート４０の上下寸法と略同一であり、床材３０の厚みｈよりも大きく形成されている。このため、床材３０の端部３０Ｅと壁受プレート４０の天板部４４の庇部４４Ａとの間にも上下方向の隙間が形成される。なお、図示はしないが、この隙間は巾木などで隠される。
【００３１】
＜内壁５０＞
内壁５０は、下側ランナ５２と、上側ランナ（図示省略）と、下側ランナ５２及び上側ランナとの間に配置された複数のスタッド（図示省略）と、ボード５４と、を備えている。
下側ランナ５２は、内壁５０の下端部を構成し、上方へ開放された略Ｕ字状の断面形状とされている。下側ランナ５２は、壁受プレート４０の天板部４４の庇部４４Ａにビスなどにより固定される。下側ランナ５２の上方には上側ランナが設けられ、下側ランナ５２と上側ランナとの間に上下方向に延びる複数のスタッドが取付けられる。これにより、内壁５０の骨格が形成される。そして、この骨格に対して石膏ボードなどのボード５４が室内側から取付けられることで内壁５０が形成される。
【００３２】
下側ランナ５２の幅寸法（図１における左右寸法）は、壁受プレート４０の天板部４４の庇部４４Ａの幅寸法よりも小さく形成されており、下側ランナ５２は、壁受プレート４０の天板部４４のうち庇部４４Ａのみの上側に配置されている。つまり、内壁５０は、天板部４４の庇部４４Ａによって支持される。
【００３３】
＜作用効果＞
次に、本実施形態の作用効果について、図８に示す比較例１と対比しつつ説明する。
【００３４】
図１及び図８に示すように、第一実施形態と比較例１では、共に、床材３０の一部である端部３０Ｅが梁２０の上面２０Ａに配置されている。このため、床材３０を当該梁２０で支持することができるので、床材支持用の梁を当該梁２０とは別に設ける必要性が低い。
【００３５】
ここで、比較例１では、図８に示すように、内壁５０が床材３０に支持されている。具体的には、内壁５０の下側ランナ５２がビスなどにより床材３０に固定されている。つまり、内壁５０の下端部を床材３０に押し付けた構造となっている。
したがって、床材３０を撤去する場合や床材３０を交換する場合には、内壁５０を取り外す必要がある。
【００３６】
これに対し、第一実施形態に係る壁支持構造Ｓ１では、図１や図４に示すように、梁２０の上面２０Ａに複数の壁受プレート４０が固定されており、当該複数の壁受プレート４０に内壁５０が支持されている。これにより、内壁５０は、床材３０の上側に離間して配置された状態となっている。
このように、第一実施形態に係る壁支持構造Ｓ１では、内壁５０が、梁２０に固定された壁受プレート４０に支持されており、床材３０に支持されていない。よって、内壁５０を取り外すことなく、床材３０を撤去又は交換することができる。
【００３７】
また、第一実施形態に係る壁支持構造Ｓ１では、壁受プレート４０が、梁２０に固定される「梁固定部」としての底板部４２と、内壁５０を支持する「壁支持部」としての天板部４４と、底板部４２と天板部４４とを上下に連結する「上下連結部」としての縦板部４６及び補強部４８と、を含んで構成されている。そして、天板部４４は、底板部４２、縦板部４６及び補強部４８と平面視で重なる一般部４４Ｂと、底板部４２、縦板部４６及び補強部４８と平面視で重ならない庇部４４Ａを有している。そして、庇部４４Ａの下側に床材３０の一部が配置されている。
このため、天板部４４が庇部４４Ａを有しない場合と比較して、床材３０の上側に離間して配置された内壁５０を安定して支持することができる。特に、第一実施形態では、内壁５０の下側ランナ５２の幅寸法が小さく形成されているため、天板部４４が庇部４４Ａを有していることで、内壁５０を床材３０の上側で支持することができる。
【００３８】
また、第一実施形態に係る壁支持構造Ｓ１では、梁２０の上面２０Ａのうち梁幅方向一方側の部分（室外側部２４Ｂ）に底板部４２が固定されており、梁２０の上面２０Ａのうち底板部４２が固定された部分に対して梁幅方向他方側の部分である室内側部２４Ａに床材３０の一部である端部３０Ｅが配置されている。
つまり、底板部４２が梁２０の上面２０Ａのうち梁幅方向一方側の部分（室外側部２４Ｂ）に固定されていることで、梁２０の上面２０Ａのうち底板部４２が固定された部分に対して梁幅方向他方側の部分（室内側部２４Ａ）に床材３０の一部である端部３０Ｅを配置することができる。よって、床材３０に切欠き（図５の符号７０ＥＡ参照）を形成することなく床材３０を梁２０に支持させることができる。また、床材３０の端部３０Ｅを梁延在方向に沿って連続的に梁２０に支持させることができるので、床材３０を安定して支持することができる。
【００３９】
また、第一実施形態に係る壁支持構造Ｓ１では、壁受プレート４０が複数設けられ、複数の壁受プレート４０は、梁２０の延在方向に並んで互いに間隔を空けて固定されている。このため、１つの壁受部材で内壁５０を支持する場合と比較して、壁受プレート４０が小型となり、工事が容易である。
【００４０】
〔第二実施形態〕
次に、図２を用いて、第二実施形態に係る壁支持構造Ｓ２について説明する。
図２に示すように、第二実施形態に係る壁支持構造Ｓ２は、間仕切壁６０を支持する構造に関する。
【００４１】
第二実施形態に係る壁支持構造Ｓ２は、壁受プレート４０が支持する壁が内壁５０ではなく間仕切壁６０である点で、第一実施形態に係る壁支持構造Ｓ１と相違する。その他の点では略一致するため、図面に同じ符号を付して詳細な説明は省略する。
【００４２】
＜間仕切壁６０＞
図２に示すように、間仕切壁６０は、下側ランナ６２と、上側ランナ（図示省略）と、複数のスタッド（図示省略）と、第一ボード６４及び第二ボード６６と、を備えている。
下側ランナ６２は、間仕切壁６０の下端部を構成しており、上方へ開放された略Ｕ字状の断面形状とされている。そして、壁受プレート４０の天板部４４の上に下側ランナ６２がビスなどにより固定されている。下側ランナ６２の上方には上側ランナが設けられており、下側ランナ６２と上側ランナとの間に、上下方向に延びる複数のスタッドが設けられている。これにより、間仕切壁６０の骨格が形成されている。そして、間仕切壁６０の骨格に対してその表裏から第一ボード６４及び第二ボード６４が取付けられることで、間仕切壁６０が形成されている。
【００４３】
下側ランナ６２の幅寸法（図１における左右寸法）は、壁受プレート４０の天板部４４の幅寸法と略同一に形成されている。そして、下側ランナ５２は、天板部４４の一般部４４Ｂと庇部４４Ａの両方の上側に配置されている。つまり、間仕切壁６０は、天板部４４の一般部４４Ｂと庇部４４Ａの両方で支持される。
【００４４】
間仕切壁６０の第一ボード６４は、床材３０の上方の第一室内空間Ｒ１の壁を構成する。他方、間仕切壁６０の第二ボード６４は、第一室内空間Ｒ１と間仕切壁６０を隔てて反対側の第二室内空間Ｒ２の壁を構成する。
【００４５】
＜作用効果＞
次に、第二実施形態の作用効果について説明する。
【００４６】
第二実施形態に係る壁支持構造Ｓ２でも、床材３０の一部である端部３０Ｅが梁２０の上面２０Ａに配置されている。このため、床材３０を当該梁２０で支持することができるので、床材支持用の梁を当該梁２０とは別に設ける必要性が低い。
【００４７】
また、梁２０の上面２０Ａには複数の壁受プレート４０が固定されており、当該複数の壁受プレート４０に間仕切壁６０が支持されている。これにより、間仕切壁６０は、床材３０の上側に離間して配置された状態となっている。
このように、間仕切壁６０が、梁２０に固定された壁受プレート４０に支持されており、床材３０に支持されていない。よって、間仕切壁６０を取り外すことなく、床材３０を撤去又は交換することができる。
【００４８】
以上のように、本発明は、第一実施形態のように内壁５０を支持する構造だけでなく、間仕切壁６０を支持する構造についても適用可能である。つまり、本発明によれば、内壁５０又は間仕切壁６０を取り外すことなく、床材３０を撤去又は交換することができる。その他、第一実施形態と同様の構成に係る作用効果の説明は省略する。
【００４９】
〔第三実施形態〕
次に、第三実施形態に係る壁支持構造Ｓ３について説明する。
第三実施形態に係る壁支持構造Ｓ３は、上記第二実施形態で説明した間仕切壁６０と第二室内空間Ｒ２の床を構成する床材７０（図５参照）との関係に適用されている。
【００５０】
図５に、第二実施形態の壁支持構造Ｓ２と、第三実施形態に係る壁支持構造Ｓ３とが同時に適用された構造を示す（但し、説明の便宜上、床材７０を梁２０から離した状態で示している。）。図５に示すように、壁受プレート４０は、第一室内空間Ｒ１を基準として、梁２０の上フランジ２４の室外側部２４Ｂに固定されている。
しかし、第二室内空間Ｒ２を基準とすると、壁受プレート４０が固定されている部分は、上フランジ２４の「室内側部」である。
以下の第三実施形態の説明では、第二室内空間Ｒ２を基準として説明する。
【００５１】
上述したとおり、壁支持構造Ｓ３では、梁２０の上フランジ２４の室内側部（符号２４Ｂ、第一室内空間Ｒ１基準では室外側部２４Ｂ）の上面２０Ａに壁受プレート４０が固定される。また、壁受プレート４０は複数設けられ、複数の壁受プレート４０は、梁２０の上フランジ２４の上面に梁延在方向に並んで互いに間隔を空けて固定される。
【００５２】
＜床材７０＞
図５に示すように、第二室内空間Ｒ２の床を構成する床材７０には、切欠き７０ＥＡが形成されている。切欠き７０ＥＡは、床材７０の端部３０Ｅに、互いに間隔を空けて複数形成されている。複数の切欠き７０ＥＡが形成された位置は、互いに間隔を空けて固定された複数の壁受プレート４０に対応する位置である。そして、床材３０の端部３０Ｅのうち、切欠き７０ＥＡが形成されていない部分（突出部７０ＥＢ）が梁２０の上フランジ２４の上面２０Ａに配置される。つまり、図６及び図７Ｂに示すように、隣り合う壁受プレート４０の間に、床材７０の端部７０Ｅに形成された突出部７０ＥＢが配置される。
【００５３】
＜作用効果＞
次に、第三実施形態の作用効果について、図９に示す比較例２と対比しつつ説明する。
【００５４】
比較例２では、図９に示すように、間仕切壁６０が、床材３０及び床材７０に支持されている。具体的には、間仕切壁６０の下側ランナ６２がビスなどにより床材３０と床材７０に固定されている。つまり、間仕切壁６０の下端部を、床材３０及び床材７０の両方に押し付けた構造となっている。
したがって、床材３０や床材７０を撤去又は交換する場合には、間仕切壁６０を取り外す必要がある。
【００５５】
これに対し、第三実施形態に係る壁支持構造Ｓ３では、図５に示すように、床材７０に複数の切欠き７０ＥＡが形成されている。複数の切欠き７０ＥＡは、互いに間隔を空けて固定された複数の壁受プレート４０に対応する位置に形成されている。これによって、図６及び図７Ｂに示すように、隣り合う壁受プレート４０の間に床材７０の一部（突出部７０ＥＢ）を配置する。このため、梁２０の上フランジ２４のうち、床材７０の上の第二室内空間Ｒ２を基準として室内側の部分（符号２４Ｂ、第一室内空間Ｒ１を基準とすると室外側部２４Ｂ）に壁受プレート４０を固定することができる。
【００５６】
さらに、第二実施形態と第三実施形態とが組み合わされていることで、間仕切壁６０の挟んだ両側の空間である第一室内空間Ｒ１及び第二室内空間Ｒ２の床をそれぞれ構成する床材３０及び床材７０の両方が、当該間仕切壁６０を支持しない構造とされている。したがって、間仕切壁６０を取り外すことなく、第一室内空間Ｒ１の床材３０を撤去又は交換することができるし、第二室内空間Ｒ２の床材７０も撤去又は交換することもできる。
【００５７】
〔上記実施形態の補足説明〕
なお、上記実施形態では、第一室内空間Ｒ１や第二室内空間Ｒ２の四方の壁のうち１つの壁（内壁５０や間仕切壁６０）について、それを支持する構造を説明した。四方の壁のうち１つの壁にでも本発明に係る壁支持構造を適用することで、床材３０を撤去又は交換する場合に、当該壁を取り外す必要がなくなるという利点がある。
他方、上記各実施形態の構造を適宜組み合わせることで、１つの室内空間を取り囲む四方の壁のすべてに本発明の壁支持構造を適用してもよい。この場合、当該室内空間の四方の壁を構成する内壁５０や間仕切壁６０の全てを取り外すことなく、当該室内空間の床を構成する床材のみを撤去又は交換することができる。
【００５８】
また、上記第一実施形態では、内壁５０の一部を構成する下側ランナ５２の幅寸法（図１における左右寸法）が、壁受プレート４０の天板部４４の庇部４４Ａの幅寸法よりも小さく形成されており、下側ランナ５２が天板部４４のうち一般部４４Ｂの上側には配置されていない例を説明したが、本発明はこれに限定されない。内壁を構成する下側ランナの幅寸法が大きく形成され、天板部４４のうち一般部４４Ｂの上側にも配置されるようにしても良い。なお、この場合、壁受プレート４０が庇部４４Ａを有していなくてもよい。
【００５９】
また、上記実施形態では、Ｈ型鋼からなる梁２０を備える例を説明したが、本発明はこれに限定されない。梁は、床材が配置されると共に壁受部材が固定される上面を有していれば良く、例えば溝型鋼や山型鋼であってもよいし、また例えば木製の梁であってもよい。
【００６０】
また、上記実施形態では、内壁５０や間仕切壁６０の骨格が、断面Ｕ字形状の上下のランナとスタッドにより形成される例を説明したが、本発明はこれに限定されず、例えば木製の骨格であってもよい。
【００６１】
また、上記実施形態では、「壁受部材」としての壁受プレート４０の天板部４４に、内壁５０や間仕切壁６０の下端部を構成する下側ランナ５２がビスなどで固定される例を説明したが、本発明はこれに限定されない。例えば、壁受部材自体が下側ランナと一体に形成されているもの（つまり、壁受部材が、下側ランナと同様の機能を有するもの）とされてもよい。
【００６２】
また、上記実施形態では、複数の壁受プレート４０によって内壁５０や間仕切壁６０が支持される例を説明したが、本発明はこれに限定されない。梁延在方向に延びる長い壁受部材を設けることで、１つの壁受部材により内壁や間仕切壁を支持しても良い。
【符号の説明】
【００６３】
２０   梁
２０Ａ 上面
２４   上フランジ
２４Ａ 室内側部（梁幅方向他方側の部分）
２４Ｂ 室外側部（梁幅方向一方側の部分）
３０   床材
３０Ｅ 端部（一部）
４０   壁受プレート（壁受部材）
４２   底板部（梁固定部）
４４   天板部（壁支持部）
４４Ａ        庇部
４４Ｂ        一般部
４６   縦板部（上下連結部）
４８   補強部（上下連結部）
５０   内壁
６０   間仕切壁
７０   床材
７０ＥＡ      切欠き
７０ＥＢ      突出部
Ｒ１   第一室内空間
Ｒ２   第二室内空間
Ｓ１   壁支持構造
Ｓ２   壁支持構造
Ｓ３   壁支持構造
【図１】
2019002177.tif 000003
【図２】
2019002177.tif 000004
【図３】
2019002177.tif 000005
【図４】
2019002177.tif 000006
【図５】
2019002177.tif 000007
【図６】
2019002177.tif 000008
【図７Ａ】
2019002177.tif 000009
【図７Ｂ】
2019002177.tif 000010
【図８】
2019002177.tif 000011
【図９】
2019002177.tif 000012